(57)【要約】      （修正有）【課題】スマートな引き締まったボディラインを表現できて、着るだけで細く見える着やせ効果を実現できる衣服を提供する。【解決手段】左右の前身頃１２と、左右の前身頃１２に縫着ライン１３を介してそれぞれ縫着される左右の脇部１４と、左右の脇部１４に縫着ラインを介してそれぞれ縫着される後身頃とを少なくとも有する衣服１１である。脇部１４は、複数の縦長のサイドパーツ１４ａ、１４ｂ、１４ｃを縦長の縫着ライン１３ａ、１３ｂ、１３ｃを介して縫着して形成する。【選択図】図１
0003190995.tif 000002
【実用新案登録請求の範囲】
【請求項１】
左右の前身頃と、該左右の前身頃に縫着ラインを介してそれぞれ縫着される左右の脇部と、該左右の脇部に縫着ラインを介してそれぞれ縫着される後身頃とを少なくとも有する衣服であって、
前記脇部は、複数の縦長のサイドパーツを縦長の縫着ラインを介して縫着して形成したこと
を特徴とする衣服。
【請求項２】
前記複数のサイドパーツのうち、少なくとも前記前身頃に隣接する部位と、当該隣接部位に隣接する部位とを細幅に形成したこと
を特徴とする請求項１に記載の衣服。
【請求項３】
前記複数のサイドパーツのうち、少なくとも前記前身頃に隣接する部位と、当該隣接部位に隣接する部位との生地目を斜め方向に形成したこと
を特徴とする請求項１に記載の衣服。
【請求項４】
前記生地目が斜め方向のサイドパーツの下部は、斜め方向に傾斜するポケット口を介してサイドパーツを有すること
を特徴とする請求項３に記載の衣服。
【請求項５】
前記縫着ラインは、太めにかつ曲線状に形成したこと
を特徴とする請求項１に記載の衣服。
【考案の詳細な説明】
【技術分野】
【０００１】
本考案は、ベスト、ジャケット、あるいはスーツ等の衣服に関するものであり、更に詳しくは、ウエストのくびれを強調でき、スマートに引き締まったボディラインを表現できて、着るだけで細く見えて着やせ効果を実現できる衣服に関するものである。
【背景技術】
【０００２】
従来、スマートに引き締まったボディラインは多くの女性が憧れるところであり、その実現のために、フィットネスクラブやスポーツジムに通ったり、あるいはダイエットスクールなどで様々なダイエット法を試みる女性が多いのが現状である。また、雑誌や専門書には色々な痩身法が紹介されている。
【０００３】
ところで、様々な有効な働きをなす機能性の衣服類が知られている。例えば、磁石が取り付けられて血行を促進させる働きのあるチョッキ（特許文献１参照）、突起が設けられて指圧効果のある衣類（特許文献２参照）、襟巻きが一体になって保温性のあるチョッキ（特許文献３参照）、カイロを収納するポケットが設けられているチョッキ（特許文献４参照）、光反射材が取り付けられている安全チョッキ（特許文献５参照）、浮力材が取り付けられている救命用の衣類（特許文献６参照）、あるいは、電磁波シールド材で形成されている衣類（特許文献７参照）、などが知られている。
【先行技術文献】
【特許文献】
【０００４】
【特許文献１】実開昭６１−１８２７５０号公報
【特許文献２】実用新案登録第３１６０３０６号公報
【特許文献３】実開昭６１−５９６０６号公報
【特許文献４】実開昭６３−６０４０８号公報
【特許文献５】実用新案登録第３０８２６３２号公報
【特許文献６】実用新案登録第３０１４０７７号公報
【特許文献７】実開平３−１１１５１６号公報
【考案の概要】
【考案が解決しようとする課題】
【０００５】
これら従来例のような様々な機能性の衣服類が知られている一方で、着るだけで細く見える、いわゆる着やせ効果を実現できる機能性衣服の従来例は存在しないのが現状である。また、着やせ効果を謳う機能性衣服の特許出願又は実用新案登録出願は現在のところ見当たらない。
【０００６】
従って、現状においては、着るだけで細く見える着やせ効果のある機能性衣服の開発が大いに待たれるところであり、そのような衣服の実現が課題となっている。
【課題を解決するための手段】
【０００７】
前記従来例の課題を解決するための本考案の要旨は、左右の前身頃と、該左右の前身頃に縫着ラインを介してそれぞれ縫着される左右の脇部と、該左右の脇部に縫着ラインを介してそれぞれ縫着される後身頃とを少なくとも有する衣服であって、前記脇部は、複数の縦長のサイドパーツを縦長の縫着ラインを介して縫着して形成したことである。
【０００８】
また、前記複数のサイドパーツのうち、少なくとも前記前身頃に隣接する部位と、当該隣接部位に隣接する部位とを細幅に形成したこと、；
前記複数のサイドパーツのうち、少なくとも前記前身頃に隣接する部位と、当該隣接部位に隣接する部位との生地目を斜め方向に形成したこと、；
前記生地目が斜め方向のサイドパーツの下部は、斜め方向に傾斜するポケット口を介してサイドパーツを有すること、；
前記縫着ラインは、太めにかつ曲線状に形成したこと、；
を含むものである。
【考案の効果】
【０００９】
本考案に係る衣服によれば、複数の縦長のサイドパーツを縦長の縫着ラインを介して縫着して脇部を形成したことによって、視覚効果により、スマートに引き締まったボディラインとウエストのくびれを強調できる。つまり、着るだけで脇部が細く見えて着やせ効果を実現できるという優れた効果を奏する。
【００１０】
複数のサイドパーツのうち、少なくとも前身頃に隣接する部位と、当該隣接部位に隣接する部位とを細幅に形成したことによって、正面側に位置する２つのサイドパーツの細さが特に目立つので、視覚効果が増幅されて、スマートに引き締まったボディラインをいっそう強調できるという優れた効果を奏する。
【００１１】
複数のサイドパーツのうち、少なくとも前身頃に隣接する部位と、当該隣接部位に隣接する部位との生地目を斜め方向に形成したことによって、斜め方向の生地目の存在がまるで矢羽根のようなシャープな印象となり、視覚効果がさらに増幅されて、ウエストのくびれをいっそう強調できる。つまり、着やせ効果が増大するという優れた効果を奏する。
【００１２】
生地目が斜め方向のサイドパーツの下部は、斜め方向に傾斜するポケット口を介してサイドパーツを有することによって、斜め方向の生地目が斜め方向に傾斜するポケット口と相俟って、矢羽根のようなシャープな印象が強調され、視覚効果がいっそう増幅されて、ウエストのくびれをより強調できることとなるという優れた効果を奏する。
【００１３】
縫着ラインは、太めにかつ曲線状に形成したことによって、縫着ラインが目立つので視覚効果がさらに増幅されて、スマートな引き締まったボディラインとウエストのくびれをいっそう強調できると共に、曲線的で女性らしさを印象付けられるという優れた効果を奏する。
【図面の簡単な説明】
【００１４】
【図１】本考案に係るベスト（衣服）１１の正面図である。
【図２】本考案に係るベスト（衣服）１１の背面図である。
【図３】同ベスト１１の外側を、肩部１７を分離して示す展開図である。
【図４】同ベスト１１の内側を、肩部１７を分離して示す展開図である。
【図５】本考案に係るベスト（衣服）３１の正面図である。
【図６】本考案に係るベスト（衣服）３１の背面図である。
【図７】同ベスト３１の外側を、肩部１７を分離して示す展開図である。
【図８】同ベスト３１の内側を、肩部１７を分離して示す展開図である。
【図９】本考案に係るジャケット（衣服）４１の正面図である。
【図１０】本考案に係るジャケット（衣服）４１の背面図である。
【図１１】同ジャケット４１の外側を、肩部１７を分離して示す展開図である。
【図１２】同ジャケット４１の内側を、肩部１７を分離して示す展開図である。
【考案を実施するための形態】
【００１５】
次に、本考案の実施の形態について図面を参照しながら説明する。まず、図１及び図２において、符号１１はベスト（衣服）を示し、このベスト１１は、左右の前身頃１２と、左右の前身頃１２に縫着ライン１３を介してそれぞれ縫着される左右の脇部１４と、左右の脇部１４に縫着ライン１５を介してそれぞれ縫着される後身頃１６とから概略構成される。
【００１６】
前身頃１２は、着用時に右側に位置する右側前身頃１２ａと、左側に位置する左側前身頃１２ｂとが存在する。図３はベスト１１の外側を、肩部１７を分離して示す展開図であり、紙面の右側に右側前身頃１２ａが位置して、紙面の左側に左側前身頃１２ｂが位置する。
【００１７】
また、図４はベスト１１の内側を、肩部１７を分離して示す展開図であり、紙面の左側に右側前身頃１２ａが位置して、紙面の右側に左側前身頃１２ｂが位置する。つまり、図３と図４とは左右が対称に位置する。
【００１８】
左側前身頃１２ｂは、図３に示すように、複数のボタン１８が設けられており、左側前身頃１２ｂの側部は、縫着ライン１３を介して脇部１４が縫着される。
【００１９】
右側前身頃１２ａは、図３及び図４に示すように、複数のボタンホール１９が設けられており、右側前身頃１２ａの側部は、縫着ライン１３を介して脇部１４が縫着される。
【００２０】
脇部１４は、着用時に右側に位置する部位と、左側に位置する部位との２箇所にそれぞれ存在するが、左右対称で同様なので、右側と左側との部位を一緒に説明する。
【００２１】
脇部１４は、複数の、例えば５枚の縦長のサイドパーツ１４ａ、１４ｂ、１４ｃ、１４ｄ、１４ｅが、縦長の縫着ライン１３ａ、１３ｂ、１３ｃ、１３ｄをそれぞれ介して縫着して形成される。
【００２２】
このように、脇部１４をサイドパーツ１４ａ、１４ｂ、１４ｃ、１４ｄ、１４ｅで形成することによって、視覚効果あるいは視覚の錯覚効果により、スマートな引き締まったボディラインとウエストのくびれを強調できることとなり、着るだけで脇部１４が細く見えて、着やせ効果が実現できる。
【００２３】
また、前身頃１２に隣接するサイドパーツ１４ａと、このサイドパーツ１４ａに隣接するサイドパーツ１４ｂとを、他のサイドパーツ１４ｃ、１４ｄ、１４ｅに比較して、細幅に形成してもよい。この場合は、図１に示すように、正面側に位置する２つのサイドパーツ１４ａ、１４ｂの細さが特に目立つこととなるので、視覚効果が増幅されて、スマートに引き締まったボディラインをいっそう強調できる。
【００２４】
そして、縫着ライン１３、１３ａ、１３ｂ、１３ｄ、１５は、図１及び図２に示すように、太めにかつ曲線状に形成することが望ましい。このように形成することで、縫着ラインが目立つので視覚効果がさらに増幅されて、スマートな引き締まったボディラインとウエストのくびれをいっそう強調できる。また、曲線的で女性らしさを印象付けられる。
【００２５】
脇部１４の背面側の側部は、縫着ライン１５を介して後身頃１６に縫着される。後身頃１６の中央部には、縫着ライン２０が形成されている。
【００２６】
なお、図１から図４中の符号２１は後身頃１６に設けられる背ベルトを示し、符号２２は前身頃１２に設けられたポケット口を示し、符号２３は胸ポケット口を示し、符号２６は縫い割り処理を示す。また、符号２４はネーム及び品番表示用のタッグを示し、符号２５はブランドネームの表示部を示す。
【００２７】
次に、ベストの他の実施例について、図５から図８に示す。他の実施例のベスト３１において、前記のベスト１１と同一部分には同一符号を付してその詳細は省略する。
【００２８】
ベスト３１は、図７に示すように、前身頃１２に隣接するサイドパーツ３２ａと、このサイドパーツ３２ａに隣接するサイドパーツ３２ｂとの生地目３４を斜め方向に形成している。図中の矢印は、生地目の方向を示している。また、生地目は生地の文様である。
【００２９】
この場合、図５に示すように、正面側に位置する２つのサイドパーツ３２ａ、３２ｂに斜め方向の生地目３４を用いたことによって、当該生地目３４の存在がまるで矢羽根のようなシャープな印象となり、視覚効果がさらに増幅されて、ウエストのくびれをいっそう強調できる。つまり、着やせ効果が増大する。
【００３０】
また、サイドパーツ３２ａ及びサイドパーツ３２ｂの下部は、斜め方向に傾斜するポケット口３８を介してサイドパーツ３３ａ及びサイドパーツ３３ｂが設けられている。このサイドパーツ３３ａ、３３ｂと、サイドパーツ３３ｃ、３３ｄとの生地目３５を縦方向に形成している。さらに、前身頃１２と、後身頃１６との生地目３６を縦方向に形成している（図７参照）。なお、図７中の符号３７はスリットを示している。
【００３１】
このようにサイドパーツ３２ａ、３２ｂの下部は、斜め方向に傾斜するポケット口３８を介してサイドパーツ３３ａ、３３ｂを有することによって、斜め方向の生地目３４が、斜め方向に傾斜するポケット口３８と相俟って、矢羽根のようなシャープな印象がさらに強調され、視覚効果がいっそう増幅されて、ウエストのくびれをより強調できる。
【００３２】
次に、図９から図１２にジャケット（衣服）４１を示す。前記のベスト１１と同一部分には同一符号を付してその詳細は省略する。
【００３３】
図１１はジャケット４１の外側を、肩部１７と裾部５０とを分離して、袖部４２を省略して示す展開図であり、同様に、図１２はジャケット４１の内側を、肩部１７と裾部５０とを分離して、袖部４２を省略して示す展開図である。
【００３４】
ジャケット４１は、図１１に示すように、前身頃１２に隣接するサイドパーツ４３ａと、このサイドパーツ４３ａに隣接するサイドパーツ４３ｂとの生地目４５を斜め方向に形成している。図中の矢印は、生地目の方向を示している。
【００３５】
この場合、図９に示すように、正面側に位置する２つのサイドパーツ４３ａ、４３ｂに斜め方向の生地目４５を用いたことによって、当該生地目４５の存在がまるで矢羽根のようなシャープな印象となり、視覚効果がさらに増幅されて、ウエストのくびれをいっそう強調できる。つまり、着やせ効果が増大する。
【００３６】
また、サイドパーツ４３ａ及びサイドパーツ４３ｂの下部は、斜め方向に傾斜するポケット口４４を介してサイドパーツ４３ｃ及びサイドパーツ４３ｄが設けられている。
【００３７】
このサイドパーツ４３ｃ、４３ｄと、サイドパーツ４３ｅ、４３ｆの生地目４７を縦方向に形成している。さらに、前身頃１２と、後身頃１６との生地目４８を縦方向に形成している。なお、図１１中の符号４９はセンターベンツを示している。
【００３８】
このようにサイドパーツ４３ａ、４３ｂの下部は、斜め方向に傾斜するポケット口４４を介してサイドパーツ４３ｃ、４３ｄを有することによって、斜め方向の生地目４５が、斜め方向に傾斜するポケット口４４と相俟って、矢羽根のようなシャープな印象がさらに強調され、視覚効果がいっそう増幅されて、ウエストのくびれをより強調できる。
【００３９】
以上のように構成されるベスト（衣服）１１、３１及びジャケット（衣服）４１は、複数の縦長のサイドパーツを縦長の縫着ラインを介して縫着して脇部を形成したことによって、視覚効果により、スマートな引き締まったボディラインとウエストのくびれを強調できる。つまり、着るだけで脇部が細く見えるいわゆる着やせ効果を実現できる。
【産業上の利用可能性】
【００４０】
本考案の衣服は、ベスト１１、３１及びジャケット４１について説明したが、それら以外にも、スーツ、制服、あるいはカジュアルな衣類等の様々な衣服に応用できることは勿論である。
【符号の説明】
【００４１】
１１  ベスト（衣服）
１２  前身頃
１２ａ右側前身頃
１２ｂ左側前身頃
１３、１３ａ、１３ｂ、１３ｃ、１３ｄ  縫着ライン
１４  脇部
１４ａ、１４ｂ、１４ｃ、１４ｄ、１４ｅ  サイドパーツ
１５  縫着ライン
１６  後身頃
１７  肩部
１８  ボタン
１９  ボタンホール
２０  縫着ライン
２１  背ベルト
２２  ポケット口
２３  胸ポケット口
２４  タッグ
２５  表示部
２６  縫い割り処理
３１  ベスト（衣服）
３２ａ、３２ｂ、３３ａ、３３ｂ、３３ｃ、３３ｅ  サイドパーツ
３４、３５、３６  生地目
３７  スリット
３８  ポケット口
４１  ジャケット（衣服）
４２  袖部
４３ａ、４３ｂ、４３ｃ、４３ｄ、４３ｅ、４３ｆ  サイドパーツ
４４  ポケット口
４５、４７、４８  生地目
４９  センターベンツ
５０  裾部
【図１】
0003190995.tif 000003
【図２】
0003190995.tif 000004
【図３】
0003190995.tif 000005
【図４】
0003190995.tif 000006
【図５】
0003190995.tif 000007
【図６】
0003190995.tif 000008
【図７】
0003190995.tif 000009
【図８】
0003190995.tif 000010
【図９】
0003190995.tif 000011
【図１０】
0003190995.tif 000012
【図１１】
0003190995.tif 000013
【図１２】
0003190995.tif 000014